(57)【要約】      （修正有）【課題】  組み立て、折り畳みが簡単であり、再利用可能な衣料品輸送用ボックスを提供する。【解決手段】  衣料品輸送用ボックスは、平面方形状の側壁部２と、側壁部の上端部に取り付ける天板３と、側壁部の下端部に取り付ける底板４と、ハンガーを吊り下げる棒状部材５とからなり、側壁部２は、対向する側壁の中央部を開口させて開閉自在なドアー２６，２７を取り付け、他の対向する側壁には、略中央部と両端部側に縦方向のヒンジ２１ａ、２１ｂ，２３ａ，２３ｂを設けて折り畳み自在とするとともに、棒状部材５を取り付け可能に形成してなり、天板３の周縁部には、側壁部の上端部を嵌合させる下向きの溝３ａ，３ｂを形成してなり、底板４の周縁部には、側壁部の下端部を嵌合させる上向きの溝４ａ，４ｂを形成する。【選択図】    図１
2005088969.tif 000002
【特許請求の範囲】
【請求項１】
平面方形状の側壁部と、側壁部の上端部に取り付ける天板と、側壁部の下端部に取り付ける底板と、ハンガーを吊り下げる棒状部材とからなり、前記側壁部は、対向する側壁の中央部を開口させて開閉自在なドアーを取り付け、他の対向する側壁には、略中央部と両端部側に縦方向のヒンジを設けて折り畳み自在とするとともに、前記棒状部材を取り付け可能に形成してなり、天板の周縁部には、側壁部の上端部を嵌合させる下向きの溝を形成してなり、底板の周縁部には、側壁部の下端部を嵌合させる上向きの溝を形成してなることを特徴とする衣料品輸送用ボックス。
【請求項２】
ヒンジを設けてなる側壁の上端部に上向きのフックを設け、下端部に下向きのフックを設けてなり、天板の溝を形成する外壁の上端部を切り欠いて前記上向きフックが係止する切欠を設け、底板の溝を形成する外壁の下端部を切り欠いて前記下向きフックが係止する切欠を設けてなることを特徴とする請求項１に記載の衣料品輸送用ボックス。
【請求項３】
ドアーは、透明体または半透明体であることを特徴とする請求項１または２に記載の衣料品輸送用ボックス。
【請求項４】
天板の溝上面に透孔を設け、底板の下面に前記透孔に嵌合する突起を設けたことを特徴とする請求項１〜３のいずれか１項に記載の衣料品輸送用ボックス。
【発明の詳細な説明】
【技術分野】
【０００１】
この発明は、スーツ、コート、スカート、ブラウス等の衣料品を輸送するのに好適な衣料品輸送用ボックスに関する。
【背景技術】
【０００２】
従来、衣料品を輸送するには、専用のボックス車を使用するか、ハンガーを吊すための支持棒を設けた運搬用容器や衣料品搬送用台車が使用されている。専用のボックス車を使用する場合には、ボックス車の中にハンガーを吊すための棒状の部材を設け、この部材に衣料品をかけたハンガーを掛けて輸送するようにしていた。
【０００３】
このため、衣料品をボックス車に移すのに多くの手間がかかり、作業能率が悪いと共に、運搬中に衣料品を落下させたり汚す危険がある。また、専用車であるから、他の物品の輸送には用いることができず、有効に使用することができなかった。また、専用車であっても密閉性が悪く、塵埃の侵入を完全に防止することはできないから、衣料品を塵埃から保護することはできなかった。
【０００４】
一方、例えば、意匠登録第９９１５００号公報に記載されている運搬用容器の場合には、衣料品をハンガーに掛けたままの状態で運搬することができ、密閉性がよく塵埃の侵入を防止することができる。しかしながら、容器の出し入れ口が小さいために、衣料品の容器への出し入れがし難いとともに、組み立てや折り畳みに手間がかかるという問題がある。また、折り畳んだ状態が大きいために、運搬の際、扱い難いという問題がある。
【０００５】
また、衣料品搬送用台車は、例えば、特開平１０−１４７４３号公報に記載されている台車がある。この台車は、搬送センターの衣料格納庫から台車への移し換えはレール上のトロリーユニットを台車内に移すだけであるから、短時間に容易に行うことができる。しかしながら、側面と背面はパイプ材により形成されており、正面は開口しているから、塵埃から衣料品を保護することはできないという問題がある。
【特許文献１】特許第２７９１８８１号公報
【非特許文献１】意匠登録第９９１５００号公報
【発明の開示】
【発明が解決しようとする課題】
【０００６】
解決しようとする問題点は、従来の衣料品輸送用容器は、衣料品の出し入れが困難で、組み立てや折り畳みが容易にできないという点にある。
この発明は、かかる現況に鑑みてなされたもので、組み立てや折り畳みが容易な衣料品輸送用ボックスを提供することを目的とする。また、この発明は、組み立てて使用する際には、密閉性がよく塵埃の侵入を防止することができる衣料品輸送用ボックスを提供することを目的とする。また、この発明は、分解することによって小さく折り畳むことができ、保管、運搬が容易に行えるようにした衣料品輸送用ボックスを提供すること目的とする。
【課題を解決するための手段】
【０００７】
この発明は、目的を解決するために次のような構成とした。即ち、この発明に係る衣料品輸送用ボックスは、平面方形状の側壁部と、側壁部の上端部に取り付ける天板と、側壁部の下端部に取り付ける底板と、ハンガーを吊り下げる棒状部材とからなり、前記側壁部は、対向する側壁の中央部を開口させて開閉自在なドアーを取り付け、他の対向する側壁には、略中央部と両端部側に縦方向のヒンジを設けて折り畳み自在とするとともに、前記棒状部材を取り付け可能に形成してなり、天板の周縁部には、側壁部の上端部を嵌合させる下向きの溝を形成してなり、底板の周縁部には、側壁部の下端部を嵌合させる上向きの溝を形成してなることを特徴とする。
【０００８】
また、ヒンジを設けてなる側壁の上端部に上向きのフックを設け、下端部に下向きのフックを設けてなり、天板の溝を形成する外壁の上端部を切り欠いて前記上向きフックが係止する切欠を設け、底板の溝を形成する外壁の下端部を切り欠いて前記下向きフックが係止する切欠を設けることが好ましい。このように、側壁の上下端を溝に挿入してフックを切欠に係止させることによって、より一層堅牢に組み立てることができる。
【０００９】
ドアーは、透明体または半透明体で形成することが好ましい。ドアーを透明体または半透明体とすることによって、内部に収納した衣料品を容易に確認することができる。また、天板の溝上面に透孔を設け、底板の下面に前記透孔に嵌合する突起を設けることが好ましい。このように、天板の透孔に底板の突起を嵌入することによって両者を確実に積み重ねることができ、輸送中や保管中に荷崩れすることがなく安全に輸送し、保管することができる。
【発明の効果】
【００１０】
上記構成の衣料品輸送用ボックスによれば、側壁部を開いて上下端に天板と底板とを嵌合させるだけで組み立てられ、きわめて簡単に組み立てることができる。また、側壁部の上下部の両方またはいずれか一方にバネ作用を有するフックを設けた場合には、より一層堅牢に組み立てることができる。側壁部には、対向する両側にドアーを設けたので、方向性がなくいずれの側からも衣料品の出し入れができる。
【００１１】
一方、天板と底板とを取り外すことによって、側壁部は簡単に折り畳むことができ、効率よく運搬し、保管することができる。また、天板を外すことによって、側壁部の上部開口からも衣料品の出し入れを行うことができる。また、回収して再利用することが可能であるから、リターナブル品として省資源化に寄与することができる。
【発明を実施するための最良の形態】
【００１２】
以下に、この発明を図示する実施形態について詳細に説明する。図１は衣料品輸送用ボックスの好ましい実施形態を示し、分解した状態の斜視図である。衣料品輸送用ボックス１は、側壁部２と、前記側壁部２の上端部を嵌合する天板３と、側壁部２の下端部を嵌合する底板４とからなる。前記側壁部２は、平面方形状であって対向する側壁は中央部と両端部に設けたヒンジにより折曲自在とされているとともに、他の対向する側壁にはドアーが設けられている。
【００１３】
さらに詳述すると、側壁部２は、平面方形状の筒形であって、側壁２０，２１，２２，及び２３からなる。前記側壁２０と側壁２２は対向しており、それぞれドアー２６と２７が取り付けられている。即ち、側壁２０と側壁２２は、周縁部の枠２０ａ、２２ａを残して開口部２０ｂ、２２ｂを設けてなり、前記開口部２０ｂ、２２ｂにドアー２６，２７がそれぞれ取り付けられている。側壁２０と側壁２２の幅寸法は、側壁２１と側壁２３の幅寸法よりも大きく形成されている。これは、側壁２１と側壁２３を内側に２つ折り可能とするためである。
【００１４】
前記枠２０ａ、２２ａの内側周縁部は、図２に示すように、額縁状段部２０ｃ、２２ｃが設けられており、前記段部２０ｃ、２２ｃにドアー２６，２７が嵌合することになる。段部２０ｃ、２２ｃの上下部の端部には、穴２０ｄ、２２ｄ（図示せず）が設けられており、ドアー２６，２７の上下端面には前記穴２０ｄ、２２ｄに挿入する突起２６ａ，２７ａが突設されている。前記突起２６ａ，２７ａを穴２０ｄ、２２ｄに挿入することによって組み立てると、ドアー２６，２７は前記突起２６ａ，２７ａを中心に回動することになり、開口部２０ｂ、２２ｂの開閉が可能になる。
【００１５】
ドアー２６，２７には、開閉の際に手掛けとなる凹部２６ｂ、２７ｂが設けられている。また、ドアー２６，２７は、内部に収納した衣料品を確認することができるように、透明体または半透明体であることが好ましい。
【００１６】
一方、対向する前記側壁２１と側壁２３は、それぞれ中央部と両端部の隅部近傍に折曲自在なヒンジ２１ａ、２１ｂ及びヒンジ２３ａ、２３ｂが垂直方向に設けられている。前記ヒンジの構成によって、側壁２１と側壁２３は、それぞれ内側に折り畳むことができる。また、側壁２１と側壁２３の上端内面には、前記ヒンジ２１ａとヒンジ２３ａに近接して段部２１ｃ、２３ｃが形成されている。前記段部２１ｃ、２３ｃは、平面視においてコ字状に凹んで形成されており、ハンガーを掛ける棒状部材５を上方から挿入することによって係止される。前記段部２１ｃ、２３ｃに棒状部材５を係止させることによって、側壁部２の組立状態は一層堅牢に保持される。
【００１７】
さらに、前記側壁２１と側壁２３には、それぞれ上下端にバネ作用を有する上向きフック２１ｄ、２３ｄと下向きフック２１ｅ，２３ｅ（図示せず）が形成されている。前記上向きフック２１ｄ、２３ｄと下向きフック２１ｅ，２３ｅは、向きが変わるだけで同一形状に形成されている。図３に示すフック２１ｄを例に説明すると、フック２１ｄは、水平リブ２１ｆの上面に突設してなり、三辺をフリーにすることによってバネ作用を有するように形成されている。フック２１ｄの先端部外面は、後述するように、天板３及び底板４の切欠に係止するように水平リブ２１ｆの外面より僅かに突出している（図３参照）。
【００１８】
次に、天板３を図４〜図６に基づいて説明する。天板３の周縁部には、前記側壁部２の上端部を嵌合させる溝３ａが形成されている。溝３ａは、図から明らかなように、下向きに開口しており、溝幅は側壁部の上端部の厚さと同じか僅かに大きく形成されている。四隅部には、平面視においてＬ字状の透孔３ｂが形成されている。前記透孔３ｂに後述する底板４の四隅部の突起が嵌合する。前記透孔３ｂ、３ｂは、Ｌ字状に形成したが、これに限定されるものではなく、また、対向する二辺にのみ直線状の透孔を設けてもよい。
【００１９】
また、天板３の対向する外側面には、前記上向きフック２１ｄ、２３ｄが係止する切欠３ｃ、３ｃが設けられている。図３に示すように、前記切欠３ｃ、３ｃは、溝３ａを形成する外壁の上端部を切り欠くことによって形成されており、形成位置は上向きフック２１ｄ、２３ｄに対応している。天板３の上面板３ｄは、溝３ａを形成する内壁の下端に連結しているが、中央部には、棒状部材５の取り付け方向に膨出部３ｅが設けられている。この膨出部３ｅによって、取り付けた棒状部材５との間隔が大きくなり、ハンガーの吊り下げが容易になる。
【００２０】
次いで、図１及び図７に基づいて、底板４について説明する。底板４は、天板３と同じ大きさであって、底板４の周縁部には、前記天板３とは反対に側壁部２の下端部を嵌合させる溝４ａが形成されている。溝４ａは、図７から明らかなように、上向きに開口しており、溝幅は側壁部の下端部の厚さと同じか僅かに大きく形成されている。
【００２１】
四隅部には、平面視においてＬ字状の突起４ｂが下向きに突設されている。前記突起４ｂが、上記天板３の四隅のＬ字状透孔３ｂに嵌合する。前記突起４ｂが、上記天板３の四隅のＬ字状透孔３ｂに嵌合することによって、天板３に底板４を積み重ねても荷崩れすることなく、安定した状態で安全に運搬することができる。
【００２２】
また、底板４の対向する外側面には、前記下向きフック２１ｅ、２３ｅが係止する切欠４ｃ、４ｃが設けられている。前記切欠４ｃ、４ｃは、天板３を裏返すことによって、図３に示す切欠３ｃ、３ｃを下向きに形成したものと同一であって、溝４ａを形成する外壁の下端部を切り欠くことによって形成されており、形成位置は下向きフック２１ｅ、２３ｅに対応している。なお、前記底板４の中板４ｄは、溝４ａを形成する内壁の上端に連結しており、下面には必要に応じて補強リブ（図示するのを省略）を設けてもよい。
【００２３】
なお、上記実施形態では、側壁部の上下端部にそれぞれ上向きフック２１ｄ、２３ｄ及び下向きフック２１ｅ，２３ｅを設け、天板には前記上向きフック２１ｄ、２３ｄを係止する切欠３ｃを設け、底板には前記下向きフック２１ｅ，２３ｅを係止する切欠４ｃを設けた場合について説明したが、これらの一方、または両方を省略することは可能である。また、ハンガーを吊り下げる棒状部材の取り付けは上記実施形態に限定されるものではなく、天板の内側に取り付ける構造とすることも可能である。
【００２４】
次に、上記構成の衣料品輸送用ボックスの使用方法について説明する。衣料品輸送用ボックスを使用するには、ドアー２６，２７は、開口部２０ｂ、２２ｂに取り付けられて側壁２０，２２を形成しているから、側壁２０，２２を引き離して間隔を拡げ、次いで折り畳まれている側壁２１，２３を外側に押し広げて方形状に組み立てる。側壁２１，２３はヒンジを介して折り畳まれているので、側壁２０，２２を容易に引き離すことができる。
【００２５】
側壁部２を方形状に組み立てた後、棒状部材５を側壁２１，２３の段部２１ｃ、２３ｃに嵌合して取り付け、側壁部２の形状を保持させる。次いで、側壁部２の下端部を底板４の溝４ａに嵌合する。側壁部２の下端部を底板４の溝４ａに嵌合すると、下向きフック２１ｅ，２３ｅも溝４ａに挿入されるとともに、バネ作用によって突出部が切欠４ｃに係止することになる。下向きフック２１ｅ，２３ｅが切欠４ｃに係止することによって、側壁部２と底板４とは一体に組み立てられる。
【００２６】
次いで、側壁部２の上端部を天板３の溝３ａに嵌合すればよい。側壁部２の上端部を天板３の溝３ａに嵌合すると、上向きフック２１ｄ，２３ｄも溝３ａに挿入されるとともに、バネ作用によって突出部が切欠３ｃに係止することになる。上向きフック２１ｄ，２３ｄが切欠３ｃに係止することによって、側壁部２と天板３とは一体に組み立てられる。
【００２７】
側壁部２は、天板３と底板４の嵌合によって密閉され、しかも堅牢に組み立てることができる。ドアー２６，２７は、対向する面にそれぞれ設けたから、いずれの側からも衣料品の出し入れが可能であり、方向性をなくすことができる。また、ハンガーを吊り下げる棒状部材５は、ドアーと同一方向に配設したから、ハンガーの出し入れ作業が容易に行うことができる。また、天板３を嵌合する前に、側壁２の上部開口から衣料品を掛けたハンガーを吊り下げ、その後、天板３を側壁２の上端に取り付けてもよい。
【００２８】
上記構成の衣料品輸送用ボックスを折り畳むには、上記組み立てた場合と反対に行えばよい。即ち、側壁部２の上向きフック２１ｄ，２３ｄを内側に押し込んで切欠３ｃとの係止状態を解除しながら天板３を側壁部２から外す。次いで、側壁部２の下向きフック２１ｅ，２３ｅを内側に押し込んで切欠４ｃとの係止状態を解除しながら底板４を側壁部２から外す。その後、棒状部材５を側壁部２の段部２１ｃ、２３ｃから取り外す。
【００２９】
側壁２１，２３は、その中央部を内側に押し込むと、ヒンジ２１ａ、２１ｂ及びヒンジ２３ａ、２３ｂによって２つに折り畳まれる。側壁２１，２３の幅寸法が、側壁２０，２１の幅寸法よりも小さく形成されているために、側壁２１，２３の内面と側壁２０，２２の内面が当接し、図８に示すように、板状態に折り畳むことができる。
【００３０】
一方、天板３に底板４を積み重ねることができる。天板３に底板４を積み重ねると、底板下面の突起４ｂが天板３の透孔３ｂに嵌入するから、荷崩れすることなく一体に積み重ねることができる。このようにして、折り畳んだ側壁部は、側壁部同士を積み重ねて運搬、保管することができる。また、棒状部材５を収納した天板と底板とを積み重ねたセットをさらに積み重ねて運搬、保管することができる。
【００３１】
このように、各部材ごとに回収、梱包することができ、輸送効率が良く、また、保管場所も節約することができる。回収して再利用することができ、リターナブル品として省資源化を図ることができる。
【図面の簡単な説明】
【００３２】
【図１】この発明に係る衣料品輸送用ボックスを分解した状態の斜視図である。
【図２】開口部における要部拡大断面図である。
【図３】フックと切欠の関係を示す要部断面図である。
【図４】図１における天板のＡ−Ａ線断面図である。
【図５】図１における天板のＢ−Ｂ線断面図である。
【図６】図１における天板のＣ−Ｃ線断面図である。
【図７】図１における底板のＤ−Ｄ線断面図である。
【図８】組み立てた状態の衣料品輸送用ボックスの斜視図である。
【図９】側壁部を折り畳んだ状態の斜視図である。
【図１０】天板に底板を積み重ねた状態の斜視図である。
【符号の説明】
【００３３】
１：衣料品輸送用ボックス
２：側壁部
３：天板
３ａ：溝
３ｂ：透孔
３ｃ：切欠
３ｄ：上面板
４：底板
４ａ：溝
４ｂ：突起
４ｃ：切欠
４ｄ：中板
５：棒状部材
２０，２１，２２，２３：側壁  
２６、２７：ドアー
２０ａ、２２ａ：周縁部の枠  
２０ｂ、２２ｂ：開口部
２０ｃ、２２ｃ：額縁状段部  
２０ｄ、２２ｄ：穴
２１ａ、２１ｂ：ヒンジ
２３ａ、２３ｂ：ヒンジ
２１ｃ、２３ｃ：段部
２１ｄ、２３ｄ：上向きフック  
２１ｅ，２３ｅ：下向きフック
２６ａ，２７ａ：突起  
２６ｂ、２７ｂ：凹部
【図１】
2005088969.tif 000003
【図２】
2005088969.tif 000004
【図３】
2005088969.tif 000005
【図４】
2005088969.tif 000006
【図５】
2005088969.tif 000007
【図６】
2005088969.tif 000008
【図７】
2005088969.tif 000009
【図８】
2005088969.tif 000010
【図９】
2005088969.tif 000011
【図１０】
2005088969.tif 000012